(57)【特許請求の範囲】
【請求項１】
水槽内の循環水を汲み上げて水洗ブース内に設けたスクリーン壁に沿って流下させることで、該スクリーン壁の壁面に水膜形成し、被塗物に向けて噴き付けられた塗布剤の余剰分の一部を該水膜で捕集するとともに、他部を排気通路内に吸入した上、該排気通路に供給した捕集水によって捕集するようになした水洗ブース装置において、
前記水槽より汲み上げられて吐水口より吐水された水を、前記水膜形成用と前記排気通路における捕集水とに分配する堰と、該吐水口からの水を該堰に向けて供給案内する案内流路とを設け、該堰に供給案内した水の一部を該案内流路に形成した開口を通じて前記スクリーン壁の上部に前記水膜形成用として供給する一方、他部を該堰をオーバーフローさせて前記排気通路に前記捕集水として供給するようになしたことを特徴とする水洗ブース装置。
【請求項２】
請求項１において、前記水膜形成用及び捕集水用としての供給水量の調節手段が備えてあることを特徴とする水洗ブース装置。
【請求項３】
請求項１，２の何れかにおいて、前記案内流路が斜面とされていて、該斜面の下側の末端部に前記堰が設けてあることを特徴とする水洗ブース装置。
【請求項４】
請求項３において、前記開口の少なくとも前記堰側の部分が、該堰から離れるにつれて広がる形状となしてあることを特徴とする水洗ブース装置。
【請求項５】
請求項３，４の何れかにおいて、前記斜面が前記水洗ブースのフードにて形成してあることを特徴とする水洗ブース装置。
【請求項６】
請求項１〜５の何れかにおいて、前記開口の下側には小容量の受水室が形成されていて、該開口を通じて供給された水が該受水室より前記スクリーン壁の上部にオーバーフローするようになしてあり、且つ該受水室には整流板が下向きに入り込んでいて該受水室が該整流板により前室と後室とに分けてあり、該前室の水が該整流板の下をくぐり抜けて該後室に流入した上、該後室からオーバーフローするようになしてあることを特徴とする水洗ブース装置。
【発明の詳細な説明】
【０００１】
【発明の属する技術分野】
この発明は被塗物に向けて噴き付けられた接着剤や塗料等の塗布剤の余剰分を、水洗ブース内のスクリーン壁の壁面上に形成した水膜にて捕集するようになした水洗ブース装置に関する。
【０００２】
【従来の技術】
従来、被塗物に対して接着剤や塗料等を塗布するための装置として、図５に示すような水洗ブース装置が用いられている。
同図において、２００は接着剤，塗料等の塗布剤を塗布すべき対象物としての被塗物で、２０２はその被塗物２００に向けて接着剤，塗料等の塗布剤をスプレー状に噴霧するスプレーガン等の噴霧装置である。
２０４は水洗ブースでフード２０６を有している。
【０００３】
２０８は床上に設置された水槽で、２１０は水洗ブース２０４の上部に設けられた排気ダクトである。
この排気ダクト２１０の内部には排気ファン（図示省略）が設けられており、その排気ファンがモータ２１２にて回転させられるようになっている。
【０００４】
水洗ブース２０４の内部にはスクリーン壁２１４が縦に設けられており、その裏側（図中左側）に排気ダクト２１０に連通する排気通路２１６が形成されている。
スクリーン壁２１４の上部裏側には受水室２１８が設けられており、この受水室２１８内の水が、スクリーン壁２１４の壁面にオーバーフローして流下し、その流下水によってスクリーン壁２１４の壁面に水膜が形成されるようになっている。
【０００５】
２２０は汲上げポンプで、水槽２０８内の水（循環水）がこの汲上げポンプ２２０により、配管２２２を通じ水洗ブース２０４の上部に汲み上げられる。
配管２２２は、縦管２２４とこの縦管２２４に対しチーズ２２６を介して接続された横管２２８とを有しており、更にその横管２２８からは第１分岐管２３０と第２分岐管２３２とが縦向きと横向きとに分岐して延び出している。
【０００６】
第１分岐管２３０と第２分岐管２３２との先端部分には、それぞれ吐水部２３４，２３６が設けられている。
これら吐水部２３４，２３６は、図５（Ｂ）に示しているように図５（Ａ）中紙面と直角方向に所定ピッチで設けられた多数の小孔径（孔径は例えばφ１０〜１５ｍｍ）の流出孔２３８を備えており、それら流出孔２３８より成る吐水口から、汲み上げられた水を流出（吐水）させるようになっている。
【０００７】
第１分岐管２３０と第２分岐管２３２とにはまた、それら吐水部２３４，２３６の上流部においてバルブ２４０が設けられており、それらバルブ２４０の操作によって、第１分岐管２３０，第２分岐管２３２における水量調節ができるようになっている。
この水洗ブース装置では、水槽２０８から汲上げポンプ２２０にて配管２２２を通じ汲み上げられた水が、第１分岐管２３０と第２分岐管２３２との各先端部の吐水部２３４，２３６から吐水される。
【０００８】
而して第１分岐管２３０の先端部の吐水部２３４から吐水された水は一旦受水室２１８に収容され、そしてその受水室２１８をオーバーフローしてスクリーン壁２１４の上端部からスクリーン壁２１４の壁面に沿って下向きに流下し、そこに水膜を形成する。
そしてその水膜によって、噴霧装置２０２から被塗物２００に噴き付けられた塗布剤の余剰分の一部をそこで捕集し、下方の水槽２０８へと落下する。
【０００９】
一方第２分岐管２３２の先端部の吐水部２３６から吐水された水は、フード２０６上面の斜面に沿って図中右から左向きに流下し、その先端から捕集水として排気通路２１６内に供給される。
そしてその捕集水によって、排気通路２１６を流通する塗布剤の余剰分の残りの部分が捕集される。
【００１０】
即ち噴霧装置２０２から被塗物２００に向けて噴き付けられた塗布剤のうち、被塗物２００に付着せず且つまたスクリーン壁２１４の水膜にて捕集されなかった余剰分が、スクリーン壁２１４の下端をくぐり抜けて排気通路２１６へと吸入され、そしてその排気通路２１６に吸入された塗布剤の余剰分が、その排気通路２１６に供給された捕集水によって捕集される。
そしてこの排気通路２１６を排気ダクト２１０へと通り抜けた排気が、更に浄化フィルタ等を通過することで浄化された上、外部に排気される。
【００１１】
【発明が解決しようとする課題】
この種水洗ブース装置にあっては、水槽２０８内の水に塗布剤の余剰分（ミスト）が混入して次第にその濃度が高くなる。即ち水洗ブース装置を循環する循環水の汚れの程度が次第に高くなる。
このため、配管２２２を水が流通している間にその汚れが配管２２２内に付着し、次第に水の流量が減少して十分に水が流れなくなる。
特に配管２２２の屈曲部や分岐部、或いはバルブ２４０，吐水部２３４，２３６における小孔径の流出孔２３８において、汚れの付着堆積に起因する詰りが著しい。
【００１２】
而してこのように詰りが生じると、吐水部２３４からの吐水量と、吐水部２３６からの吐水量との比率、即ち水膜形成用に供給される水と、排気通路２１６の捕集水用として供給される水との分配比率が、当初設定した比率から変化してしまい、これにより塗布剤の捕集効率が低下してしまうといった問題を生じる。
【００１３】
而して塗布剤の捕集効率が低くなれば周辺の環境を悪化させる原因となり、また捕集されなかった塗布剤が排気ダクト２１０の内面や排気ファン等に付着して堆積し、このことが火災発生の原因になるといった問題を生ずる。
【００１４】
更にまた、上記のように詰りが発生し易いために短い周期で頻繁に清掃が必要であり、循環水の循環系の維持管理が大変であって、このことが生産性の阻害要因となる外、循環水の汚れの度合いが高くなるのを防止するために短い周期で循環水の交換が必要となり、これに応じて塗布剤の捕集用に用いた水の産業廃棄物処理の問題も大きな問題となる。
【００１５】
【課題を解決するための手段】
本発明の水洗ブース装置はこのような課題を解決するために案出されたものである。
而して請求項１のものは、水槽内の循環水を汲み上げて水洗ブース内に設けたスクリーン壁に沿って流下させることで、該スクリーン壁の壁面に水膜形成し、被塗物に向けて噴き付けられた塗布剤の余剰分の一部を該水膜で捕集するとともに、他部を排気通路内に吸入した上、該排気通路に供給した捕集水によって捕集するようになした水洗ブース装置において、前記水槽より汲み上げられて吐水口より吐水された水を、前記水膜形成用と前記排気通路における捕集水とに分配する堰と、該吐水口からの水を該堰に向けて供給案内する案内流路とを設け、該堰に供給案内した水の一部を該案内流路に形成した開口を通じて前記スクリーン壁の上部に前記水膜形成用として供給する一方、他部を該堰をオーバーフローさせて前記排気通路に前記捕集水として供給するようになしたことを特徴とする。
【００１６】
請求項２のものは、請求項１において、前記水膜形成用及び捕集水用としての供給水量の調節手段が備えてあることを特徴とする。
【００１７】
請求項３のものは、請求項１，２の何れかにおいて、前記案内流路が斜面とされていて、該斜面の下側の末端部に前記堰が設けてあることを特徴とする。
【００１８】
請求項４のものは、請求項３において、前記開口の少なくとも前記堰側の部分が、該堰から離れるにつれて広がる形状となしてあることを特徴とする。
【００１９】
請求項５のものは、請求項３，４の何れかにおいて、前記斜面が前記水洗ブースのフードにて形成してあることを特徴とする。
【００２０】
請求項６のものは、請求項１〜５の何れかにおいて、前記開口の下側には小容量の受水室が形成されていて、該開口を通じて供給された水が該受水室より前記スクリーン壁の上部にオーバーフローするようになしてあり、且つ該受水室には整流板が下向きに入り込んでいて該受水室が該整流板により前室と後室とに分けてあり、該前室の水が該整流板の下をくぐり抜けて該後室に流入した上、該後室からオーバーフローするようになしてあることを特徴とする。
【００２１】
【作用及び発明の効果】
以上のように本発明は、吐水口より吐水された水を案内流路にて堰に供給案内し、そしてその一部を案内流路に形成した開口を通じて水膜形成用として供給する一方、他部を堰のオーバーフローにより排気通路に捕集水として供給するようになしたものである。即ちその堰によって水膜形成用と排気通路の捕集水用とに分配するものである。
【００２２】
かかる本発明の水洗ブース装置は、図５に示す従来の水洗ブース装置のように水膜形成用の専用の吐水部と、排気通路の捕集水用の専用の吐水部とを別々に設けて、配管を通じそれら専用の吐水部に水を供給する必要はなく、単に吐水口から水を吐水すれば自動的にその水が案内流路と堰の作用によって、水膜形成用と排気通路の捕集水用とに分配される。
かかる本発明によれば、水膜形成用と排気通路の捕集水用との水の分配比率が、当初設定した分配比率に保持されて変化がなく、従って洗浄用の水を適正に分配し得て、塗布剤の余剰分の捕集効率を高く維持することができる。
【００２３】
これにより捕集し損なった塗布剤が排気ダクトの内面や排気ファンに付着して堆積し、火災発生の原因になるといった問題を解決することができるとともに、塗布剤の捕集効率の低下によって周辺環境が悪化するといった問題も解決することができる。
【００２４】
また図５に示す従来の水洗ブース装置のように、配管の屈曲部や分岐部或いは先端の吐水部やバルブ等に汚れが付着して堆積し、これによって十分な水量で水が流れなくなったり、またそのことによる捕集効率の低下を来したりする問題を特に生じないため、洗浄水の循環系の維持管理が容易となり、更にまた短い周期で循環水の交換を行う必要がなくなるため、産業廃棄物処理上も問題が少なくなるなどの利点が得られる。
【００２５】
本発明においては、水膜形成用及び捕集水用としての供給水量の調節手段を備えておくことができ（請求項２）、このようにすることで水膜形成用としての供給水量，捕集水用としての供給水量を調節でき、循環水を水膜形成用と排気通路の捕集水用とに分配するに際して、その分配比率を容易に適正に調節することができる。
【００２６】
この場合において、堰の高さを調節可能としておき、その堰の高さ調節手段をもって供給水量の調節手段となすことができる。
或いは開口の堰からの離隔距離若しくは高さ又は開口の大きさを調節可能となしておき、その調節手段をもって供給水量の調節手段となすことができる。
【００２７】
本発明ではまた上記案内流路を斜面となし、その斜面の下側の末端部に堰を設けておくことができる（請求項３）。
更にこの場合において、その斜面を水洗ブースのフードにて形成することができる（請求項５）。
このようになすことで、フードを利用して簡単に案内流路を形成することができる。
またこのように案内流路を斜面となすことで、スクリーン壁の幅方向に、或いは排気通路の幅方向に水を均等に供給し易くなる。
【００２８】
本発明では案内流路に形成した開口の少なくとも堰側の部分を、堰から離れるにつれて広がる形状となしておくことができる（請求項４）。
このようになすことで水膜形成用と排気通路の捕集水用との水の分配比率の微妙なバランスが可能となる。
【００２９】
次に請求項６のものは、上記開口の下側に小容量の受水室を形成するとともに、そこに整流板を下向きに入り込ませて、その整流板により受水室を前室と後室とに分け、その前室において開口からの水を受けるとともに、前室の水を整流板の下をくぐり抜けて後室に流入させた後、その後室からスクリーン壁の上部にオーバーフローさせるようになしたものである。
【００３０】
例えば開口をスクリーン壁の幅方向に所定ピッチで設けた場合、受水室に流入して来る水は開口部分において多く、開口と開口との間の部分で相対的に少なくなる。
従って受水室に流入して来た水をそのままスクリーン壁の上部にオーバーフローさせるようにすると、スクリーン壁の幅方向において開口の位置する部分ではオーバーフロー水が多く、また開口と開口との間の部分では相対的に少なくなる現象を生じる。
【００３１】
しかるに請求項６に従って受水室を整流板により前室と後室とに分け、その前室で一旦開口からの水を受けたのち、これを整流板の下をくぐり抜けて後室に移流させた上オーバーフローさせるようにすると、スクリーン壁の全幅に亘って受水室からオーバーフローする水量が均等となり、従ってスクリーン壁全幅に亘って均等に水膜を形成し得て、塗布剤の余剰分を効率高く捕集できるようになる。
【００３２】
【実施例】
次に本発明の実施例を図面に基づいて詳しく説明する。
図１において、１０は接着剤，塗料等の塗布剤を塗布すべき対象物としての被塗物で、１２はその被塗物１０に向けて塗布剤をスプレー状に噴霧するスプレーガン等の噴霧装置である。
１４は水洗ブースで、上部にフード１６を有している。
【００３３】
１８は床上に設置された水槽で、２０は水洗ブース１４の上部に設けられた排気ダクトである。
排気ダクト２０の内部には排気ファン（図示省略）が設けられており、その排気ファンがモータ２２にて回転させられるようになっている。
【００３４】
水洗ブース１４の内部にはスクリーン壁２４が縦に設けられており、その裏側（図中左側）に排気ダクト２０に連通する排気通路２６が形成されている。
スクリーン壁２４の上部裏側には受水室２８が設けられており、この受水室２８内の水がスクリーン壁２４の壁面にオーバーフローして流下し、その流下水によってスクリーン壁２４の壁面に水膜が形成されるようになっている。
尚スクリーン壁２４は板体から成っており、図２及び図３に示しているようにその後面には取手３０が設けられている。
【００３５】
更にその上端部と下端部近傍位置には、後面側への曲返し形状をなす係止部３２がそれぞれ設けられており、そしてその上端部の係止部３２において受水室２８の前部上端に係止され、また下端部近傍位置の係止部３２において、水洗ブース１４内部に設けられた被係止部３４に係止されている。
即ちこの例においてスクリーン壁２４は、取手３０を持って水洗ブース１４の後述する後部の開口３６（図３参照）から容易に脱着できるものとされている。
【００３６】
図１及び図３において、３８は水洗ブース１４の後部に形成された開口３６を閉鎖する脱着可能なカバーであって、下端部において水洗ブース１４の本体部分に設けられた被係止部４０に係止され、また上端部においてロックレバー４２により、水洗ブース１４の本体部分に係止されるようになっている。
【００３７】
詳しくは、図３（Ｂ）に示しているようにカバー３８の上端部にはロックレバー４２が軸４４周りに回転可能に設けられており、そのロックレバー４２を回転操作することで、ロックレバー４２の先端の係止部４６が、開口３６縁部に設けられた被係止部４８に係止され、或いはその係止が解除されるようになっている。
【００３８】
図１において、５０は汲上げポンプで、水槽１８内の水（循環水）がその汲上げポンプ５０により配管５２を通じ水洗ブース１４の上部に汲み上げられる。
配管５２は縦管５４と横管５６とを有しており、その横管５６の先端部に吐水部５８が設けられている。
この吐水部５８はエルボから成るもので、単一の口径の大きな吐水口６０を有している。この吐水部５８は図１中紙面と直角をなす軸心周りに回転可能とされている。
即ちその吐水口６０の角度が、その軸心周りに調整可能とされている。
【００３９】
この吐水口６０は、その向きに応じて水洗ブース１４の前部の壁６２内面に吐水を行い、或いは吐水部５８が図１に示す斜め下向きの角度にある場合にはフード１６の上面に向けて吐水を行う。
この吐水部６０から吐水された水は、図２に示しているように水洗ブース１４の前部の壁６２の内面に沿って、或いはフード１６の上面に沿って、図１中紙面と直角方向のスクリーン壁２４の幅方向に広がり、続いてフード１６の上面に沿って流下する。
【００４０】
このフード１６の上面は図中右から左にかけて斜めに傾斜する平面状の案内流路６４を成しており、吐水口６０からの吐水は吐水後、図１中紙面と直角方向（図２（Ａ）中上下方向）、つまりスクリーン壁２４の幅方向に広がったのち、その斜面且つ平面状の案内流路６４に沿って下向きに流下する。
【００４１】
この案内流路６４の下側の末端部には堰６６が設けられている。堰６６は堰板６８にて構成されている。
堰板６８は縦板部７０と傾斜部７２とを有しており、その全体が上下調節可能、即ち堰６６が高さ調節可能とされている。
そしてその調節位置において、堰板６８がねじ７３により受水室２８の壁に固定されるようになっている。本例では、ねじ７３を含む堰板６８の高さ調節手段が供給水量の調節手段を成している。
【００４２】
図２（Ｂ）に示しているように、堰６６の内側（図中右側）には案内流路６４の一部を形成するための板体７４が設けられている。
この板体７４には、案内流路６４を流下して来た水を下方に落下させるための開口７６が形成されている。
ここで開口７６は平面形状が円形をなしており、且つ図２（Ａ）に示しているようにスクリーン壁２４の幅方向（図２（Ｂ）中紙面と直角方向）に所定ピッチで複数形成されている。
【００４３】
この板体７４は斜面に沿って図中左右方向、つまり堰６６に対し接近・離間方向に位置調節可能に設けられており、且つ調節位置においてねじ８０により、受水室２８の後部の壁に形成した斜めの曲げ部７８に対し固定可能とされている。本例では、ねじ８０を含む板体７４の位置の調節手段が上記堰板６８の高さ調節手段とともに供給水量の調節手段を成している。
【００４４】
図２（Ｂ）に示す上記受水室２８及び案内流路６４は、スクリーン壁２４の全幅に亘って図中紙面と直角方向に延びている。
この受水室２８内部には、フード１６から斜め下向きに延び出した整流板８４が入り込んでおり、その整流板８４によって、受水室２８の内部が前室８６と後室８８とに分かれている。
【００４５】
前室８６は開口７６から落下した水を受ける部分であり、そしてこの前室８６に落下した水は、続いて整流板８４の下をくぐり抜けて後室８８へと移流し、後室８８からスクリーン壁２４の上端部にオーバーフローしてスクリーン壁２４の壁面に水膜を形成する。
ここで整流板８４は、後室８８からスクリーン壁２４の壁面に水がオーバーフローする際、スクリーン壁２４の全幅に亘って均等な水量でオーバーフローさせる働きを有する。
【００４６】
即ちこのような整流板８４を設けない場合、受水室２８に落下した水が、そのままスクリーン壁２４の壁面にオーバーフローすることとなり、このとき受水室２８からスクリーン壁２４の幅方向に均等な水量でオーバーフローさせることが難しい問題がある。
上記案内流路６４を流下した水を受水室２８に落下させるための開口７６は、スクリーン壁２４の幅方向に所定ピッチで断続的に設けられていることから、受水室２８に落下する水は、開口７６の部分において多く、また開口７６と７６との間の部分で相対的に少なくなる。
【００４７】
この場合において整流板８４を設けていないと、開口７６のある位置において受水室２８からスクリーン壁２４へのオーバーフロー水の水量が多くなり、また開口７６と７６との間の部分においてオーバーフロー水の水量が相対的に少なくなる、即ちスクリーン壁２４へのオーバーフロー水の水量が幅方向において不均等となる。
【００４８】
しかるに整流板８４を設け、これにより受水室２８を開口７６から落下した水を受ける前室８６と、オーバーフロー室としての後室８８とに分けることによって、スクリーン壁２４に対し幅方向に均等な水量で受水室２８からの水をオーバーフローさせることができるのである。
【００４９】
本例の水洗ブース装置にあっては、水槽１８への水が汲上げポンプ５０により配管５２を通じ水洗ブース１４の上部に汲み上げられ、そしてその先端の口径の大きな吐水口６０から吐水される。
吐水口６０からの吐水は斜面且つ平面状をなす案内流路６４（或いは水洗ブース１４の前部の壁６２の内面）に当って、直ちにスクリーン壁２４の幅方向に広がり、そのまま斜めの案内流路６４に沿って下向きに流下する。
【００５０】
この斜めの案内流路６４の下端部には堰６６が設けてあるため、案内流路６４の末端部且つ堰６６の内側（図中右側）に水溜部８２が形成される。
そして案内流路６４に沿って流下した水の一部は、板体７４に形成した開口７６を通じて下方に落下し、受水室２８の前室８６に受け入れられる。
また他の一部は、堰６６をオーバーフローして堰板６８の傾斜部７２に沿って流れ、その先端から図１の排気通路２６に捕集水として供給される。
【００５１】
即ち案内流路６４に沿って流下して来た水が、堰６６及び開口７６によって、スクリーン壁２４の壁面の水膜形成用と排気通路２６の捕集水用とに分配される。
その分配の比率は堰６６の高さ及び開口７６の大きさ，開口７６の堰６６からの離隔距離によって決定される。
【００５２】
而して開口７６から受水室２８に落下した水は、前室８６から後室８８へと移流して、その上端からスクリーン壁２４の壁面上にオーバーフローする。
オーバーフローした水はスクリーン壁２４に沿って下方に流下し、スクリーン壁２４の壁面上に水膜を形成する。
【００５３】
そしてその水膜により、図１において被塗物１０に向けて噴き付けられた塗布剤のうち、被塗物１０に付着しなかった余剰分の一部（ミスト状）が捕集される。
塗布剤を捕集した水膜はそのままスクリーン壁２４の壁面から下方の水槽１８へと落下し、再び洗浄用の水として循環使用される。
【００５４】
一方、堰６６を乗り越えてオーバーフローした水は排気通路２６へと供給され、排気通路２６における塗布剤の捕集水用として用いられる。
即ち噴霧装置１２から被塗物１０に向けて噴き付けられた塗布剤のうち、被塗物１０に付着せず且つまたスクリーン壁２４の壁面上の水膜により捕集されなかった余剰分の残りの部分が、スクリーン壁２４の下端をくぐり抜けて排気通路２６側へと吸入され、その排気通路２６を排気ダクト２０に向って上向きに流通する。
【００５５】
このとき排気通路２６の上部から捕集水が下方に供給されることで、排気通路２６を流通する排気中の塗布剤が、その捕集水により捕集され、下方の水槽１８へと落下する。
そして塗布剤の除去された排気が、その後排気ダクト２０へと吸い上げられ、更に浄化フィルタ等により浄化された上で外部に排気される。
【００５６】
以上のような本例の水洗ブース装置の場合、図５に示す従来の水洗ブース装置のように水膜形成用の専用の吐水部２３４と、排気通路２１６の捕集水用の専用の吐水部２３６とを別々に設けて、配管２２２を通じそれら専用の吐水部２３４，２３６に水を供給するものではなく、単に吐水口６０から水を吐水すれば、自動的にその水が案内流路６４と堰６６の作用とによって水膜形成用と排気通路２６の捕集水用とに分配される。
【００５７】
従って本例によれば、水膜形成用と排気通路の捕集水用との水の分配比率が、当初設定した分配比率に安定的に保持されて変化がなく、従って洗浄用の水を適正に分配し得て、塗布剤の余剰分の捕集効率を高く維持することができる。
従って本例によれば、捕集し損なった塗布剤が排気ダクトの内面や排気ファンに付着堆積して火災発生の原因になるといった問題を解決でき、また塗布剤の捕集効率の低下によって周辺環境を悪化させる問題も解決できる。
【００５８】
また図５に示す従来の水洗ブース装置のように配管の屈曲部や分岐部、或いは先端の吐水部における流出孔やバルブ等に汚れが付着堆積して十分な水量で水が流れなくなり、これにより捕集効率の低下を来したりする問題を解決できる外、洗浄水の循環系の維持管理が容易となり、また短い周期で循環水の交換を行う必要がなくなるため、産業廃棄物処理の問題も改善できる利点が得られる。
【００５９】
また本例では堰６６の高さを調節可能となしてあるため、循環水を水膜形成用と排気通路２６の捕集水用とに分配するに当って、その分配比率を容易に適正に調整することができる。
また堰６６に向って吐水を案内する案内流路６４がフード１６にて形成してあるため、構造を簡単にして容易に案内流路６４を形成することができる。
【００６０】
またその案内流路６４はスクリーン壁２４と同等以上の幅を有する斜面且つ平面状となしてあるため、吐水口６０から吐水された水をスクリーン壁２４の幅方向に或いは排気通路２６の幅方向に均等に供給し易い利点がある。
本発明ではまた、開口７６の位置（堰６６に対する接近・離間方向の位置）と高さが調節可能となしてあるため、その開口７６の位置及び高さを調節することによって、上記堰６６の高さ調節と併せて水膜形成用と排気通路２６の捕集水用とに水を分配する際の分配比率をよりきめ細かく且つ容易に調整することができる利点がある。
【００６１】
またその開口７６は、本例では平面形状が円形をなしているため、即ち堰６６側の部分が堰６６から離れるに従って広がる形状をなしているため、水の分配を微妙にバランスさせることができる。
【００６２】
一方受水室２８については、そこに下向きに入り込む整流板８４によって受水室２８に落下した水を整流した上、後室８８からスクリーン壁２４の幅方向に均等な水量でオーバーフローさせるようになしてあるため、スクリーン壁２４の壁面上の水膜を全幅に亘り均等に形成し得て、その水膜による塗布剤の捕集効率を高効率となすことができる。
【００６３】
本例の水洗ブース装置はまた、スクリーン壁２４を水洗ブース１４から容易に脱着することができ、しかもその脱着を水洗ブース１４の後部の開口３６を通じて行うことができるため、スクリーン壁２４が汚れた場合において、そのメンテナンスを簡単に行うことができる利点がある。
【００６４】
以上本発明の実施例を詳述したがこれはあくまで一例示である。
例えば本発明においては、場合によって堰６６の高さのみを調節できるようになしておくこともできるし、或いはまた開口７６の位置或いは高さのみを調節可能となしておくこと、更には場合によって開口７６の開口面積を調節することによって水の分配比率を調節するようになすといったことも可能である。
【００６５】
更にはまた、上記案内流路６４を上記平面及び斜面以外の形態で設けることも可能であるし、或いは開口７６の形状を上記円形状以外の様々な形状、例えば図４に示す三角形状となしたりその他形状となすことも可能であるなど、本発明はその主旨を逸脱しない範囲において種々変更を加えた形態で構成可能である。
【図面の簡単な説明】
【図１】本発明の一実施例である水洗ブース装置の全体図である。
【図２】同じ実施例の水洗ブース装置における開口と周辺部の平面図及び受水室と周辺部の断面図である。
【図３】同じ実施例の水洗ブース装置におけるスクリーン壁の脱着方法の説明図である。
【図４】本発明の他の実施例の要部を示す図である。
【図５】従来の水洗ブース装置の一例を示す図である。
【符号の説明】
１０  被塗物
１４  水洗ブース
１６  フード
１８  水槽
２４  スクリーン壁
２６  排気通路
２８  受水室
６０  吐水口
６６  堰
６４  案内流路
７６  開口
８４  整流板
８６  前室
８８  後室
【図１】
0003899957.tif 000002
【図２】
0003899957.tif 000003
【図３】
0003899957.tif 000004
【図４】
0003899957.tif 000005
【図５】
0003899957.tif 000006